(57)【要約】【課題】  入浴者にとってより快適な涼感を与えることが可能で、入浴環境に与える影響を極力低減した浴室空調装置を提供すること。【解決手段】  この浴室空調装置ＭＳは、浴室空間の空調を制御する浴室空調装置であって、浴槽が配置された浴槽領域に涼水ミストを噴出するミストバルブ５７，５８と、浴槽領域における気流を調整する循環ファン５３１及び換気ファン５５１と、ミストバルブ５７，５８、循環ファン５３１及び換気ファン５５１をそれぞれ制御するＣＰＵ４０と、を備え、ＣＰＵ４０は、入浴者に対して涼感を体感させ得る涼感運転モードを備えており、涼感運転モードにおいては、浴槽領域に涼水ミストの噴出を行いつつ気流を発生させるようにミストバルブ５７，５８、循環ファン５３１及び換気ファン５５１を制御する。【選択図】  図３
2008264358.tif 000002
【特許請求の範囲】
【請求項１】
浴室空間の空調を制御する浴室空調装置であって、
浴槽が配置された浴槽領域に涼水ミストを噴出するミスト噴出手段と、
前記浴槽領域における気流を調整する気流調整手段と、
前記ミスト噴出手段及び前記気流調整手段をそれぞれ制御する制御手段と、を備え、
前記制御手段は、浴槽側の入浴者に対して涼感を体感させ得る涼感運転モードを備えており、前記涼感運転モードにおいては、前記浴槽領域に涼水ミストの噴出を行いつつ気流を発生させることで、前記涼感運転モードの期間中に渡って浴槽側の入浴者から気化熱を奪うことができるように前記ミスト噴出手段及び前記気流調整手段を制御する浴室空調装置。
【請求項２】
前記制御手段は、前記涼感運転モードの実行中、前記浴槽領域における相対湿度が１００％に達しないように前記ミスト噴出手段による涼水ミストの噴出を制御することを特徴とする請求項１に記載の浴室空調装置。
【請求項３】
前記制御手段は、前記涼感運転モードの実行中、前記ミスト噴出手段による涼水ミストの噴出に合わせて前記気流調整手段によって前記浴槽領域に送風を行わせるように、前記ミスト噴出手段及び前記気流調整手段を制御することを特徴とする請求項１に記載の浴室空調装置。
【請求項４】
前記気流調整手段は、浴室空間内に空気を送り出す送風部と、前記送風部から送り出される空気の方向を調整するルーバーとを備え、
前記制御手段は、前記涼感運転モードにおいて、前記ルーバーを前記浴槽領域に指向させるように制御することを特徴とする請求項１に記載の浴室空調装置。
【請求項５】
前記制御手段は、前記涼感運転モードの実行中、涼水ミストの噴出による湿度の上昇を抑制するために、涼水ミストの噴出量が変動するように前記ミスト噴出手段を制御することを特徴とする請求項２に記載の浴室空調装置。
【請求項６】
前記制御手段は、涼水ミストの噴出量が変動するように間欠噴出させるものであって、前記間欠噴出における涼水ミストの噴出頻度が、前記涼感運転モードの開始に近い時間領域に対して、それより後の時間領域の方が少なくなるように、前記ミスト噴出手段を制御することを特徴とする請求項５に記載の浴室空調装置。
【請求項７】
ミスト噴出手段は、超音波振動を付与することによって涼水ミストを生成するように構成されていることを特徴とする請求項１に記載の浴室空調装置。
【請求項８】
浴室空調装置に対する操作指示を受け付けて、前記制御手段に対して操作指示信号を出力する操作受付手段を備え、
前記操作受付手段は、前記涼感運転モードの開始指示を受け付ける開始指示受付部を有し、
前記開始指示受付部が操作されたことに応じて、前記制御手段に対して前記涼感運転モードの開始を指示する操作指示信号が出力され、前記制御手段が前記涼感運転モードによる制御を開始することを特徴とする請求項１に記載の浴室空調装置。
【請求項９】
前記開始指示受付部は、所定条件を満たす場合に、前記涼感運転モードの開始指示を受け付けないことを特徴とする請求項８に記載の浴室空調装置。
【発明の詳細な説明】
【技術分野】
【０００１】
本発明は、浴室空間の空調を制御する浴室空調装置に関する。
【背景技術】
【０００２】
従来、このような浴室空調装置の一例として、下記特許文献１に記載されているようなものが提案されている。下記特許文献１には、夏季に入浴する場合等において快適な入浴環境を提供するために涼水ミストを噴出させるミスト冷房装置が記載されている。具体的には、段落番号２３にあるように、ミストサウナの使用後は、放熱に頼るだけでは浴室内の温度が速やかに低下せず、特に夏場などにおいては入浴者に不快感を与えてしまうこともあるため、早期に、かつ適度に浴室内の温度を低下させ、さらに入浴者にミストサウナ後の快適なクールダウンも提供することを目的に、水を微粒化した涼水ミストを噴出し得るミストノズルを設けた構成を開示しているものである。
【特許文献１】特開平８−１６４１８３号公報
【発明の開示】
【発明が解決しようとする課題】
【０００３】
上述した従来の技術では、ミストサウナ後、浴室内温度を速やかに低下させること、及び入浴者に快適なクールダウンを提供することを目的に、浴室内のミストノズルから涼水を噴出させることにより、浴室内の温度を低下させる技術を開示している。つまり、体温よりも低い温度の涼水を入浴者に供給し、入浴者の体に涼水が触れることで、入浴者の体表面と涼水との間で熱交換が行われ、これによって入浴者に涼感を与えるという技術を開示しているものである。
【０００４】
従来の技術のように涼感を与えるために涼水ミストを噴出して、この涼水ミストが体表面と熱交換を行って熱を奪うようにすることは、入浴者に涼感を与える手段としては非常に有効な手段である。しかしながら、熱交換によって涼感を与える為には、熱交換できる程度の体温より低い温度の水分が必要量確保される必要があるため、必然的に涼水ミストの粒径を大きくしたり、涼水ミストの噴出量を多くする等の必要があった。
【０００５】
そのため、従来の技術のようにミストサウナ後のクールダウンであれば、ミストサウナ後の入浴者の体温は非常に高くなっており、また、急速で強い涼感刺激を得たいという状況にもあることから、入浴者に涼感を与えるために、入浴者の目に見えるような大き目の粒径の涼水ミストを多く噴出しても特にミストサウナ後の入浴者であれば違和感を与えることがなく、寧ろそれぐらいの粒径で、かつ多めの流量を噴出しないと良好な涼感を与えることができないと言える。
【０００６】
しかしながら、ミストサウナ後ではなく、単に入浴者が浴槽に浸かっている状態で、のぼせないために頭だけを涼しくしたいと感じている状況や、浴槽のリムに腰掛けて少し涼みたいと感じているような、言い換えると露天風呂のような心地良さの入浴がしたいと思っているような状況では、熱交換によるこのような制御は大きな違和感になるだけでなく、涼感程度が強すぎて却って不快になるという問題を見出した。詳細には、露天風呂のような環境で入浴をしたいと思っている入浴者に対して、目に見えるような大き目の粒径の涼水ミストを多く噴出することは、降雨の露天風呂に入っているような感じで視覚的な感覚が良好でないだけでなく、顔や髪の毛などが濡れてしまって非常に不快感を覚え、決して良好な感覚を与えることが出来なかった。
【０００７】
また、従来の技術にあるようなミストサウナ後は、浴室内の相対湿度が１００％に達して浴室内で結露が発生しているような環境であるため、入浴者の体表面に付着した水分が気化することはなく、よって体から熱を奪うということができないような環境であるため何等問題にはならないが、露天風呂のような入浴環境を得たいという場合は、ミストサウナ後と違って相対湿度が比較的に低い環境であることから、この環境に従来の大き目の粒径の涼水ミストを多く噴出して熱交換によって涼感を与えるような技術を導入すると、熱交換による涼感に加えて、この涼水ミストが気化する際に体から熱を奪うため、露天風呂のような心地良さとは程遠い、強い涼感刺激を与えてしまうという現象を本発明者らは見出した。
【０００８】
さらに、熱交換をさせるために噴出する粒径の大きな多めの涼水ミストが浴槽の中に入ってお湯の温度を低下させてしまい、温度が高めのお湯の中に長く浸かっていることができるという露天風呂の良さの一つをスポイルしてしまうという問題も生じた。
【０００９】
そこで本発明では、閉空間である浴室空間の中にあって、露天風呂のような心地の良い入浴環境を入浴者に提供することができる浴室空調装置を提供することを目的とするものである。
【課題を解決するための手段】
【００１０】
本発明に係る浴室空調装置は、浴室空間の空調を制御する浴室空調装置であって、浴槽が配置された浴槽領域に涼水ミストを噴出するミスト噴出手段と、浴槽領域における気流を調整する気流調整手段と、ミスト噴出手段及び気流調整手段をそれぞれ制御する制御手段と、を備え、制御手段は、浴槽側の入浴者に対して涼感を体感させ得る涼感運転モードを備えており、涼感運転モードにおいては、浴槽領域に涼水ミストの噴出を行いつつ気流を発生させることで、前記涼感運転モードの期間中に渡って浴槽側の入浴者から気化熱を奪うことができるようにミスト噴出手段及び気流調整手段を制御する。
【００１１】
本発明によれば、浴槽領域に涼水ミストの噴出を行いつつ浴槽側空間の気流を調整するので、浴槽領域で入浴中の入浴者に涼水ミストを供給するのと合わせて風を当てることによって、入浴者の体表面から気化熱で熱を速やかに奪うことができ、閉空間である浴室空間内にあって、屋外の露天風呂のように、風が吹いた時に気化熱で体から熱が奪われて心地の良い涼感を得るのと同じような感覚を得ることができる。また、気化熱を利用して涼感を与える構成であるため、粒径の大きな目に見えるような涼水ミストを噴出する必要がなく、また、それを多く噴出する必要もないため、降雨の露天風呂のような感じではなく、極めて快適な露天風呂に近い良好な雰囲気の涼感環境を作り出すことができるとともに、人体が濡れたという不快な感覚を覚えたり、浴槽内のお湯の温度を大きく低下させてしまうという問題も解決できる。さらに、涼水ミストを浴室のような閉空間で噴出し続けると開放空間ではないために蓄積されて湿度が除々に高くなっていき、これに伴って、水分の蒸発が起こり難くなって気化熱による涼感効果が低下するとともに、湿度の上昇に伴って蒸し暑さすら感じるような不快感を与える状況になる。しかしながら、本発明においては涼感運転モードの期間中に渡って気化熱が発生するように浴室空調装置を制御するものであるため、入浴者に継続的に開放空間である露天風呂のような心地良さの涼感を与え続けることができるものである。
【００１２】
また請求項２に係る浴室空調装置においては、制御手段は、涼感運転モードの実行中、浴槽領域における相対湿度が１００％に達しないようにミスト噴出手段による涼水ミストの噴出を制御しているものである。この態様によれば、ミスト噴出手段から涼水ミストを噴出させつつも、閉空間である浴室内の相対湿度が１００％に達しないように制御しているので、確実に入浴者の体表面から気化熱で熱を奪って心地の良い涼感を継続的に与え続けることができる。さらに、湿度の上昇に伴う蒸し暑さを感じさせることも抑制できるため、屋外の露天風呂のように爽快な涼感環境を継続して提供できるものである。
【００１３】
また請求項３に係る浴室空調装置においては、制御手段は、涼感運転モードの実行中、ミスト噴出手段による涼水ミストの噴出に合わせて気流調整手段によって浴槽領域に送風を行わせるように、ミスト噴出手段及び気流調整手段を制御している。この好ましい態様によれば、露天風呂のような心地良さを提供するために浴槽に浸かっている入浴者に涼水ミストを供給する必要があるが、浴槽内にはお湯が張られているため上昇気流が発生しており、この上昇気流に抗して入浴者に涼水ミストを供給するためには粒径を大きくするなどの対策が必要である。しかし、そのようにすることは、やはり降雨の露天風呂のような環境を作り出すことになってしまうため、本発明においては、涼水ミストの噴出に合わせて浴槽領域に向けて送風を行うように構成しているものである。これによって、ミストの粒径を大きくせずとも涼水ミストを浴槽に入浴中の入浴者へ確実に供給して、気化熱によって涼感を与えることができるように工夫したものである。さらに、送風による気流によって気化熱を促進させることができるため、屋外の露天風呂でそよ風を受けているかのような快適な涼感を入浴者に与えることができるものである。
【００１４】
また請求項４に係る浴室空調装置においては、気流調整手段は、浴室空間内に空気を送り出す送風部と、送風部から送り出される空気の方向を調整するルーバーとを備え、制御手段は、涼感運転モードにおいて、ルーバーを浴槽領域に指向させるように制御するものである。この態様によれば、ルーバーによって送風部から送り出される空気の方向を浴槽領域に指向させるので、浴槽領域に的確に涼水ミストと気流を入浴者に供給できることに加え、送風による気流によって入浴者から速やかに気化熱で熱を奪うことができる。よって、屋外の露天風呂でそよ風を受けているかのような快適な涼感を簡単に、かつ確実に入浴者に与えることができる。
【００１５】
また請求項５に係る浴室空調装置においては、制御手段は、涼感運転モードの実行中、涼水ミストの噴出による湿度の上昇を抑制するために、涼水ミストの噴出量が変動するようにミスト噴出手段を制御するものである。この態様によれば、涼水ミストの噴出量が変動するように例えば間欠的噴出させたり、噴射量を多くしたり、少なくしたりするので、浴室空間内の湿度の上昇を涼感運転モードの期間に渡って抑えることが可能となる。また、涼水ミストの噴出量が変動するように噴出されるため、入浴者に供給される涼水ミストも変動することとなり、よって、入浴者から気化熱によって熱が奪われるのも変動的な状況となる。これによって、涼水ミストを多く噴出せずとも心地の良い涼感を長期に渡って入浴者に提供できるとともに、浴室内の湿度上昇に伴う気化熱の効果の低下や、蒸し暑さを与えてしまうという問題をも解消できる。さらに人体を濡らするという不快感を与えたり、浴槽内のお湯の温度を低下させずにすむという実用上優れた効果を数多く奏することができるものである。上述した点を具体的に説明すると、連続的に安定して涼感刺激を与え続けると、その涼感刺激に入浴者が慣れてしまって、強い涼感刺激でないと満足しないような状況となってしまう。特に、体の大半がお湯に浸かっているという本発明の前提になるような状況では、涼水ミストを噴出して気化熱で熱を奪ったとしても、入浴者はお湯に浸かっているため寒いと感じることがないことから、慣れによって涼感刺激不足を強く求める傾向にあった。そのため、満足できるような涼感刺激を与え続ける為には、涼水ミストの粒径を大きくしたり、大量に涼水ミストを噴出する必要が生じ、このような対策を取ることは前述したような数々の課題を招くことになる。しかしながら、本発明によれば、そのような問題を招くことなく入浴者に心地のよい涼感を与え続けることができるという本技術において優れた特有の効果を奏することができるものである。
【００１６】
また請求項６に係る浴室空調装置においては、制御手段は、涼水ミストの噴出量が変動するように間欠噴出させるものであって、間欠噴出における涼水ミストの噴出頻度が、前記涼感運転モードの開始に近い時間領域に対して、それより後の時間領域の方が少なくなるように、ミスト噴出手段を制御するものである。この態様によれば、涼感運転モードの開始に近い時間領域は、涼みたいという要求が入浴者に生じた時であると言えるため、涼水ミストの噴出頻度を多くすることで要求に合致させることができる。また、涼水ミストの噴霧から間がない時間領域は浴室内の湿度上昇もさほど起こっていないと言えるため高い頻度で涼水ミストを噴出しても湿度の上昇に伴って気化熱の効果が低下してしまうという問題が無く、また、蒸し暑さを作り出してしまうという問題も起こり難い。よって、入浴者の要求に合わせた制御を行うことが望ましいと言える。一方で、その後の時間領域においては、その前までの涼感刺激によって、強い涼感を得たいと言う要求も低下していると考えられる一方で、涼水ミスト噴出によって浴室内の湿度も高まってきていると言える。よって、湿度の上昇を抑制するために噴出頻度を少なくすることが入浴者に好適な涼感を与え続けるという観点から好適な対応と言える。以上のことから明確な通り、入浴者の要求や状況に最適な涼感制御を行うことができるものである。
【００１７】
また請求項７に係る浴室空調装置においては、ミスト噴出手段は、超音波振動によって涼水ミストを生成するものである。この態様によれば、涼水ミストを超音波振動によって生成するので、涼水ミストの粒径をより小さくすることができ、降雨のような状況ではない爽快な露天風呂の感覚を提供できるとともに、浴室内の湿度上昇を抑制し、さらに気化が促進されやすい粒径とできるため、濡れるという不快な感覚を覚えたりすることなく確実に、かつ迅速に入浴者の体表面から気化熱で熱を奪うことができ、露天風呂にいるかのような心地の良い涼感環境を確実に提供することができるものである。
【００１８】
また請求項８に係る浴室空調装置においては、浴室空調装置に対する操作指示を受け付けて、制御手段に対して操作指示信号を出力する操作受付手段を備え、操作受付手段は、涼感運転モードの開始指示を受け付ける開始指示受付部を有し、開始指示受付部が操作されたことに応じて、制御手段に対して涼感運転モードの開始を指示する操作指示信号が出力され、制御手段が涼感運転モードによる制御を開始するものである。この態様によれば、開始指示受付部が操作されたことに応じて、制御手段が涼感運転モードによる制御を開始するので、入浴者の意図に合わせて涼感を体感させることができる。
【００１９】
また請求項９に係る浴室空調装置においては、開始指示受付部は、所定条件を満たす場合に、涼感運転モードの開始指示を受け付けないものである。この態様によれば、例えば浴室温度が低い場合や入浴直後のように、涼感運転モードによる制御を行うことが好ましくない場合に涼感運転モードの開始を制限し、入浴者に不快感を与えないようにすることが可能となる。
【発明の効果】
【００２０】
本発明によれば入浴中の入浴者に閉空間の浴室内にあって、あたかも屋外の露天風呂に入っているかのような心地よい快適な涼感環境を提供することができる浴室空調装置を提供することにある。
【発明を実施するための最良の形態】
【００２１】
以下、添付図面を参照しながら本発明の好適な実施の形態について説明する。説明の理解を容易にするため、各図面において同一の構成要素に対しては可能な限り同一の符号を付して、重複する説明は省略する。
【００２２】
本発明の実施形態に係る浴室空調装置を使用する態様について図１を参照しながら説明する。図１は、浴室空調装置を構成する浴室空調機本体１０を浴室ユニットＢＲに取り付けた一例を説明するための図である。
【００２３】
浴室ユニットＢＲは、集合住宅や戸建住宅に浴室を設ける際に用いられるものであり、壁、床、天井、浴槽といった構成部材を組み立てて浴室とするものである。浴室ユニットＢＲは、床部材２０と、壁部材２１，２２，２３と、天井部材２４とを備えている。壁部材２１，２２，２３は床部材２０の周囲に立設させて取り付けられている。壁部材２１と壁部材２３とは互いに対向した位置に設けられている。壁部材２２は、壁部材２１と壁部材２３とに隣接して設けられている。尚、図１には明示しないが、壁部材２２と対向する位置に壁部材が設けられており、この壁部材は壁部材２１と壁部材２３とに隣接している。また、床部材２０と対向するように天井部材２４が設けられている。
【００２４】
壁部材２１には、窓２１１が設けられている。この窓２１１は、窓ガラスを窓枠によって保持することで構成されている。窓枠は壁部材２１にはめ込まれている。壁部材２２には、カウンター部分２２１と収納棚２２３とが設けられている。カウンター部分２２１にはシャワー水栓２２２が取り付けられている。壁部材２３には、浴室ユニットＢＲに出入りするための扉２３１が設けられている。
【００２５】
床部材２０には浴槽ＢＴが設けられている。浴槽ＢＴは直方体を成す升状の形態となっており、浴槽ＢＴを構成する四つの壁のうちの三つの壁が壁部材２１，２２及び図１に明示しない壁部材に沿って配置されている。従って、浴槽ＢＴの一つの壁は床部材２０の略中央付近に立設された状態になっている。
【００２６】
天井部材２４は、平坦な天井部分２４１とドーム型の天井部分２４２とで構成されている。天井部分２４１は浴槽ＢＴの略直上に、天井部分２４２は浴槽ＢＴが設けられていない床部材２０の略直上にそれぞれ配置されている。天井部分２４１には浴室空調機本体１０が取り付けられている。浴室空調機本体１０から噴出される涼水ミストや送出される風は、ルーバー（図１においては明示しない）によって浴室ユニットＢＲ内の意図した部分に送り出すことが可能なように構成されている。
【００２７】
引き続いて、本実施形態である浴室空調装置によって実現可能な空調制御について説明する。本実施形態である浴室空調装置は、ゾーン空調制御（以下エスケープモード）と涼感運転モード（以下露天風呂モード）制御とが可能なように構成されている。
【００２８】
エスケープモードとは、予め設定されている洗い場領域に入浴者に発汗を促す発汗ゾーンを構築し、浴室ユニットＢＲにおける残余の領域に入浴者に清涼感を体感させ得る涼感ゾーンを構築する制御である。これによって、浴室ユニットＢＲを入浴者が発汗ゾーンと涼感ゾーンとの間を往来可能なように構成し、入浴者が発汗と清涼感の体感とを交互に体験することができるサイクル入浴を可能としている。
【００２９】
露天風呂モードとは、入浴者に対して涼感を体感させ得るモードであって、より具体的には、入浴者に微細な涼水ミストを付着させ、その涼水ミストの気化熱に相当する熱を入浴者から奪って涼感を体感させ得るモードである。尚、涼水ミストとは、入浴者に付着した後に入浴者の体温よりも低くなり涼感を体感し得るような温度のミストであれば足り、水や冷水を噴霧するという概念ではなく、浴室空調機本体１０から噴出される際には入浴者の体温よりも高い温度のミストであって、入浴者に付着した時点では冷まされて入浴者が涼を感じることができれば良いものである。
【００３０】
図２は、本発明の特徴である露天風呂モードを説明するための図である。図２においては、浴槽ＢＴのリムの一端にベンチＢＴ１が、浴槽ＢＴの内側にベンチＢＴ２が、それぞれ形成されている。また、図１で説明した浴室ユニットＢＲとは反対側の壁面にベンチカウンター２２４が設けられており、ベンチカウンター２２４が設けられている壁面には鏡２２５が設けられている。
【００３１】
また、露天風呂モードにおいては、換気ファン５５１を回転させているので、先にも述べた通り扉２３１２に取り付けられているガラリ２３１ａから浴室ユニットＢＲ内に空気を取り込んで換気させている。よって、涼水ミストの噴霧に伴って、浴室内にミストが蓄積されることに起因して浴室ユニットＢＲ内の湿度が上がり、結果、気化熱で熱を奪うという効果が低下していくが、本実施形態においては、換気に伴って湿度の上昇を抑制しているため、気化熱の効果を継続的に得ることができ、さらに、湿度の上昇に伴って蒸し暑さを覚えてしまうというような問題を招くこともない。
【００３２】
尚、図２の説明においては、浴槽領域のみに涼感流体ＣＦを供給することを例示したが、露天風呂モードの制御はこれに限られない。浴室ユニットＢＲ全体に涼感流体ＣＦを供給する形態であっても良いものである。このように制御することで、浴槽ＢＴ外においても露天風呂のような爽やかな涼感を入浴者Ｈに体感させることができる。
【００３３】
引き続いて、本実施形態である浴室空調装置について説明する。図３は、浴室空調装置ＭＳのブロック構成図である。
【００３４】
図３に示すように、浴室空調装置ＭＳは、ＣＰＵ４０と、ＲＯＭ・ＲＡＭからなる記憶部４１と、洗面所リモコン４２と、浴室内リモコン４３と、第１水温センサー４４と、第２水温センサー４５と、温度センサー４６と、浴室湿度センサー４８と、洗面所湿度センサー４９と、第１可動ルーバー用モータ５０と、第１可動ルーバー５０１と、第２可動ルーバー用モータ５１と、第２可動ルーバー５１１と、給水・給湯装置５２と、循環ファン駆動モータ５３と、循環ファン５３１と、ポンプ駆動モータ５４と、ミストポンプ５４１と、換気ファン駆動モータ５５と、換気ファン５５１と、メインバルブ５６と、第１ミストバルブ５７と、第２ミストバルブ５８と、排水バルブ５９と、暖房ヒータ６０と、スイッチ６０１と、暖房ヒータ６１と、スイッチ６１１と、暖房ヒータ６２と、スイッチ６２１と、ミストヒータ６３ａ，６３ｂと、スイッチ６３１と、超音波振動子６４と、を備えている。引き続いて、各構成要素について説明する。
【００３５】
ＣＰＵ４０は、他の各構成要素から出力される指示信号や状態表示信号を受信し、その受信した信号に基づいて所定の情報処理を行う演算装置である。ＣＰＵ４０は、記憶部４１に格納されているソフトウェアを読み込んで情報処理を行う。
【００３６】
洗面所リモコン４２は、浴室空調装置ＭＳが取り付けられる住宅の浴室隣の洗面所等に配置されるリモコンである。洗面所リモコン４２に入力される指示は、指示信号としてＣＰＵ４０に送信される。
【００３７】
浴室リモコン４３は、浴室空調装置ＭＳが取り付けられる住宅の浴室に着脱自在で入浴者が取り外して手元で操作が可能なように設置されている。浴室リモコン４３に入力される指示は、無線電波を利用して指示信号としてＣＰＵ４０に送信される。
【００３８】
浴室リモコン４３の操作パネルの一例を図４に示す。図４に示すように、浴室操作パネル４３１は、表示領域４３ａと、操作領域４３ｂと、タッチパネル式のクールダウン操作・表示領域４３ｃと、ミスト操作領域４３ｄとを備えている。
【００３９】
表示領域４３ａには、時刻の表示や浴室空調装置ＭＳの運転状況の表示がなされる。運転状況の表示としては、「露天風呂モード（涼感運転モード）実行中」であるとの表示や、涼感温度の表示が含まれる。
【００４０】
操作領域４３ｂには、「電源」ボタン４３ｂａ、「止」ボタン４３ｂｂ、「暖房」ボタン４３ｂｃ、「換気」ボタン４３ｂｄ、「ミストサウナ」ボタン４３ｂｅ、「温冷ミスト」ボタン４３ｂｆ、「足湯給湯」ボタン４３ｂｇが設けられている。
【００４１】
「電源」ボタン４３ｂａは、浴室空調装置ＭＳの主電源を投入するためのボタンである。「電源」ボタン４３ｂａを押下すると主電源が投入され、再度押下すると主電源を切ることができる。「止」ボタン４３ｂｂは、他のボタンを押下することによって作動中の動作を停止させるためのボタンである。
【００４２】
「暖房」ボタン４３ｂｃは、浴室内において暖房を行うためのボタンであって、このボタンを押下することで、スイッチ６０１，６１１，６２１が閉じられて、電気式の暖房ヒータ６０，６１，６２にそれぞれ通電される。また、循環ファン駆動モータ５３が駆動されて、循環ファン５３１が駆動される。
【００４３】
「換気」ボタン４３ｂｄは、浴室の湿度や温度の状態に応じて換気時間を設定して最適な時間自動的に換気を行うためのボタンであって、このボタンを押下することで、換気ファン駆動モータ５５が駆動されて、換気ファン５５１が上記設定された時間だけ回転する。
【００４４】
「ミストサウナ」ボタン４３ｂｅは、ミストサウナ浴を行う際に用いるボタンであって、このボタンを押下すると、スイッチ６３１が閉じられてミストヒータ６３ａ，６３ｂに通電される。また、ポンプ駆動モータ５４が回転してミストポンプ５４１が駆動され、メインバルブ５６、第１ミストバルブ５７、及び第２ミストバルブが開かれて浴室内に温水ミストが噴出される。また、前記した暖房が行われる。
【００４５】
「温冷ミスト」ボタン４３ｂｆは、温水ミストと冷水ミストを交互に噴出するためのボタンである。このボタンを押下すると、スイッチ６３１が断続的に開閉されてミストヒータ６３がＯＮ、ＯＦＦされる。また、ポンプ駆動モータ５４が回転してミストポンプ５４１が駆動され、メインバルブ５６、第１ミストバルブ５７、及び第２ミストバルブが開かれて浴室内に温水ミスト及び冷水ミストが単一のノズルから交互に噴出される。この温冷ミストは、素肌に熱冷刺激を与えてお肌を引き締めたり、リラックスしたりするために行うものである。
【００４６】
「足湯給湯」ボタン４３ｂｇは、浴槽へ給湯するためのボタンである。このボタンを押下すると、給水・給湯装置５２から浴槽へ２０センチ程度給湯され、浴槽を足湯として用いることができる。これは、ミストサウナ入浴中の発汗を高める為に足湯状態でミストサウナが楽しめるようにしたものである。
【００４７】
クールダウン操作・表示領域４３ｃはタッチパネル構造として構成されており、タッチ操作することで色が反転するように構成されている。操作ボタンとしては、「涼風」ボタン４３ｃａと、「涼水ミスト」ボタン４３ｃｂと、「足水給水」ボタン４３ｃｃと、「エスケープモード」ボタン４３ｃｄと、「頭寒足熱モード」ボタン４３ｃｅと、「露天風呂モード」ボタン４３ｃｆとが設けられている。
【００４８】
例えば、図４に現在示されている状態では、「露天風呂モード」ボタン４３ｃｆが操作されていることがわかるようにボタンの色が反転しており、露天風呂モードを運転していることが見て取れる。これによって、表示領域４３ａに涼感運転中であることがわかるように露天風呂モードであることが表示される。また、涼感温度が２５℃に設定されていることが読み取れる。
【００４９】
浴室リモコン４３の中央に位置するクールダウン操作部の中には様々なボタンが用意され、入浴者の好み合わせた各種のクールダウン形態が選択できるように構成されている。「涼風」ボタン４３ｃａは、ミストサウナや入浴中において、クールダウンするために予め決定されている涼感ゾーンに強制的に涼風だけを高回転で吹き出させるためのボタンであって、このボタンを押下することで、スイッチ６０１が開かれて、暖房ヒータ６０が通電されていれば停止すると共に、循環ファン駆動モータ５３が駆動されて循環ファン５３１が高速に回転する。
【００５０】
「涼水ミスト」ボタン４３ｃｂは、ミストサウナや入浴中において、クールダウンするために涼感ゾーンに強制的に涼水ミストを最大量噴出させるためのボタンである。「涼水ミスト」ボタン４３ｃｂを押下すると、ポンプ駆動モータ５４が最大回転してミストポンプ５４１が駆動され、メインバルブ５６及び冷ミストバルブ５８が開かれて浴室内の予め決定されている涼感ゾーンに涼水ミストが最大量噴出される。急速で強い涼感を得たい時等に有効なものである。
【００５１】
「足水給水」ボタン４３ｃｃは、浴槽内へ常温の水もしくは、予め決定された低温の温度の水を足元が浸かる程度の２０センチ程度給水するためのボタンである。このボタンを押下すると、給水・給湯装置５２から浴槽へ給水され、浴槽をクールダウン空間として利用することができる。これは、スポーツ後などで足の疲れを癒す為に冷却したり、ミストサウナ入浴中に浴槽側で一時的にクールダウンしたりする際に足元を冷やして強い涼感を与えるために使用されることを想定しているものである。
【００５２】
「エスケープモード」ボタン４３ｃｄは、ミストサウナ中に限って使用できるものであり、それ以外の時に操作されても受け付けないように構成されている。「ミストサウナ」ボタン４３ｂｅが操作された状態では、浴槽内全体が発汗ゾーンとして構築されているが、「エスケープモード」ボタン４３ｃｄを押下することで予め設定された涼感ゾーンに対して涼感流体の送り出しが予め決定された仕様に基づいて開始される。これによって、ミストサウナ入浴者が、息苦しくなったり、暑くなったりしたときに浴槽を出ることなく快適にクールダウンが図れ、発汗ゾーンと涼感ゾーンを移動することで待ち時間や移動の苦労なくサイクル入浴を楽しむことができ、快適に長時間の発汗を行え、美肌や健康の促進を図ることができるものである。
【００５３】
「頭寒足熱モード」ボタン４３ｃｅも、ミストサウナ中に限って使用できるものであり、それ以外の時に操作されても受け付けないように構成されている。「ミストサウナ」ボタン４３ｂｅが操作された状態では、浴槽内全体が発汗ゾーンとして構築されているが、この「頭寒足熱モード」ボタン４３ｃｅを押下することで予め決定されている発汗ゾーンにおける入浴者の頭部があると思われる領域に涼感流体を送り出すものである。涼感流体としては、涼風を想定している。これに変えて、高温ミストを頭部領域から一時的に退避させるようなことであっても良いものである。いずれにしてもこの頭寒足熱モードは、ミストサウナ入浴者が息苦しいと感じたときに一時的に顔だけでも退避したいと思ったときに使用することを想定しており、「エスケープモード」ボタン４３ｃｄを押下する場合が息苦しさよりも暑いと感じている状態で、クールダウン要求の程度が頭寒足熱モードの方が軽いと想定しているものである。エスケープモード、頭寒足熱モードを使い分けることで一層快適なミストサウナ入力が行えるものである。
【００５４】
「露天風呂モード」ボタン４３ｃｆは、ミストサウナ中だけでなく、いつでも使用できるように構成されているものである。「露天風呂モード」ボタン４３ｃｆは、湯船に浸かっている入浴者が使用することを想定しているものであって、湯船入浴中において、露天風呂のように頭部が涼しく感じられるように浴槽側の空間に対して涼感流体ＣＦを噴出させるものである。
【００５５】
涼感流体ＣＦとしては、涼水ミストが好ましい。これによって、頭がのぼせることなく快適に入浴を行えるものである。涼感流体ＣＦとしては、入浴者Ｈの体表面に付着し気化することが可能であれば、必ずしも冷水のミストには限られない。入浴者Ｈに過度の刺激を与えないように温水のミストを噴出することも好ましい。温水のミストであっても、浴室空間を落下して入浴者Ｈに到達するまでに温度が下がる場合もあり、入浴者Ｈの体表面に付着後に気化することが可能である場合もあるからである。
【００５６】
ミスト操作領域４３ｄには、「ミスト感」ボタン４３ｄａと、「涼感」ボタン４３ｄｂと、「風速」ボタン４３ｄｃと、「風向き」ボタン４３ｄｄ，４３ｄｅとが設けられている。
【００５７】
「ミスト感」ボタン４３ｄａは、ミストサウナ中におけるエスケープモードの際に使用できるボタンである。「ミスト感」ボタン４３ｄａは、「上」側を押下すると浴室内の温度を高めるとともに、相対湿度も高めるようにミスト量を増やし、「下」側を追押下すると浴室内の温度を下げるとともに、相対湿度が下がる為ミスト量を減らすように構成されている。この「ミスト感」ボタン４３ｄａを操作することで表示パネル４３ａのＨＯＴ側の温度表示が連動して上下するように構成されている。
【００５８】
「涼感」ボタン４３ｄｂは、ミストサウナ中におけるエスケープモードの際に使用できるボタンである。「涼感」ボタン４３ｄｂは、涼感ゾーンにおける清涼感を増減させるためのボタンである。「涼感」ボタン４３ｄｂの「上」側を押下すると涼感程度を強める為に涼感ゾーンの涼感流体の温度を下げ、涼感流体が涼水ミストの場合であればミスト粒径を大きくするように制御される。また、涼感流体の噴射量を強めるような対策も取られ、これらによって、涼感程度が強く感じられるように制御される。反対に「下」側を押下すると涼感ゾーンの清涼感が低下するように上記と反対の制御が行われる。また、この「涼感」ボタン４３ｄｂを操作することで表示パネル４３ａのＣＯＯＬ側の温度表示が連動して上下するように構成されている。
【００５９】
「風速」ボタン４３ｄｃは、ミストサウナ中におけるエスケープモードの際に使用できるボタンである。「風速」ボタン４３ｄｃは、暖房風や涼風の噴出し速度を変更するためのボタンである。「風速」ボタン４３ｄｃの「高」側を押下すると風速が高くなり、「低」側を押下すると風速が低くなる。
【００６０】
「風向き」ボタン４３ｄｄ，４３ｄｅは、ミストサウナ中におけるエスケープモードの際に使用できるボタンである。「風向き」ボタン４３ｄｄ，４３ｄｅは、発汗ゾーンに対する風向と範囲を独立して変更する発汗側十字ボタンである「風向き」ボタン４３ｄｄと、涼感ゾーンに対する風向と範囲を独立して変更する涼感側十字ボタンである「風向き」ボタン４３ｄｅとに分けて設けられており、暖房風や涼風の噴出し方向を変えるためのボタンである。発汗側の「風向き」ボタン４３ｄｄを押下すると、第１可動ルーバー用モータ５０が回転し、第１可動ルーバー５０１が駆動される。涼感側の「風向き」ボタン４３ｄｅを押下すると、第２可動ルーバー用モータ５１が回転し、第２可動ルーバー５１１が駆動される。
【００６１】
浴室内リモコン４３には浴室操作パネル４３１の裏側に詳細設定パネルが設けられている。図５に詳細設定パネル４３２の例を示す。図５に示す例は、露天風呂モードにおける詳細設定パネル４３２ａの状態を示した図である。
【００６２】
図５に示すように、露天風呂モードにおける詳細設定パネル４３２ａでは、大項目として「涼感条件設定」「露天風呂モードの構築条件設定」が設定可能なように表示されている。
【００６３】
「涼感条件設定」においては、「涼風設定」が設定可能なように構成されている。「涼風設定」では、「エアコン駆動」か「外気導入」か「洗面所空気導入」か「浴室内空気循環」かが設定可能なように構成されている。先の物ほど涼感程度が強いものである。
【００６４】
「エアコン駆動」とは、浴室に設けられた冷凍機を駆動して強制的に冷却された冷風を送り込む設定である。「外気導入」とは、屋外の空気を導入して涼風を送り込む設定である。「洗面所空気導入」とは、洗面所側の空気をダクトを介して導入して涼風を送り込む設定である。「浴室内空気循環」とは、浴室内の空気を循環させて涼風を送り込む設定である。
【００６５】
「露天風呂モード構築条件設定」では、「常時露天風呂モード」か「自動サイクル構築」か「マニュアル設定時構築」かが選択可能なように構成されている。
【００６６】
「常時露天風呂モード」を選択すると、入浴者に涼感を体感させ得る領域が常に構築されるようにＣＰＵ４０が制御を行う。「自動サイクル構築」を選択すると、設定したサイクル数で入浴者に涼感を体感させ得る領域が設定された時間だけ自動的に形成されるようにＣＰＵ４０が制御を行う。
【００６７】
「マニュアル設定時構築」を選択すると、入浴者の操作に応じて、入浴者に涼感を体感させ得る領域が形成されるようにＣＰＵ４０が制御を行う。「マニュアル設定時構築」では、「ＯＮ／ＯＦＦ方式」と「ＯＮ後所定時間露天風呂モード」とが設定可能である。「ＯＮ／ＯＦＦ方式」は、入浴者の操作に応じて露天風呂モードの制御を実行し、またその実行を停止する方式である。「ＯＮ後所定時間露天風呂モード」は、入浴者の操作に応じて設定された時間（図５においては１分間）露天風呂モードの制御を実行し、その時間の経過後に実行を停止する方式である。
【００６８】
図３に戻り、第１水温センサー４４は、第１ミストバルブ５７側の水温を測定するためのセンサーである。第２水温センサー４５は、第２ミストバルブ５８側の水温を測定するためのセンサーである。
【００６９】
第１温度センサー４６は、エスケープモードにおいて予め定められている発汗ゾーン側の温度を測定するためのセンサーである。第１温度センサー４６は、発汗ゾーンが浴槽側に設けられている場合は浴槽近傍に、発汗ゾーンが洗い場側に設けられている場合は洗い場近傍にそれぞれ配置されている。
【００７０】
第２温度センサー４７は、エスケープモードにおいて予め定められている涼感ゾーン側の温度を測定するためのセンサーである。第２温度センサー４７は、涼感ゾーンが浴槽側に設けられている場合は浴槽近傍に、涼感ゾーンが洗い場側に設けられている場合は洗い場近傍にそれぞれ配置されている。
【００７１】
浴室湿度センサー４８は、浴室内の湿度を測定するためのセンサーであり、浴室内に設置されている。洗面所湿度センサー４９は、洗面所内の湿度を測定するためのセンサーであり、洗面所内に設置されている。
【００７２】
第１水温センサー４４、第２水温センサー４５、第１温度センサー４６、第２温度センサー４７、浴室湿度センサー４８、及び洗面所湿度センサー４９から出力される測定信号はＣＰＵ４０に出力される。
【００７３】
第１可動ルーバー用モータ５０は、第１可動ルーバー５０１を駆動するためのモータである。第２可動ルーバー用モータ５１は、第２可動ルーバー５１１を駆動するためのモータである。第１可動ルーバー用モータ５０及び第２可動ルーバー用モータ５１は、ＣＰＵ４０からの指示信号に基づいて回転する。
【００７４】
給水・給湯装置５２は、浴槽への給水及び給湯を行うための装置である。給水・給湯装置５２は、ＣＰＵ４０からの指示信号に応じて浴槽への給水及び給湯を行う。
【００７５】
循環ファン駆動モータ５３は、循環ファン５３１を駆動するためのモータである。循環ファン５３１は、浴室空調機本体１０内に設けられているファンであって、浴室内へ空気を送出する。循環ファン駆動モータ５３は、ＣＰＵ４０からの指示信号に基づいて回転する。
【００７６】
ポンプ駆動モータ５４は、ミストポンプ５４１を駆動するためのモータである。ミストポンプ５４１は、メインバルブ５６と第１ミストバルブ５７及び第２ミストバルブ５８との間に設けられており、第１ミストバルブ５７及び第２ミストバルブ５８に向けて水圧を上昇させている。ポンプ駆動モータ５４は、ＣＰＵ４０からの指示信号に基づいて回転する。
【００７７】
換気ファン駆動モータ５５は、換気ファン５５１を駆動するためのモータである。換気ファン駆動モータ５５の回転に応じて換気ファン５５１が回転し、浴室ユニットＢＲ内の空気を外部に送り出して換気を行う。換気ファン駆動モータ５５は、ＣＰＵ４０からの指示信号に基づいて回転する。
【００７８】
メインバルブ５６は、浴室空調装置ＭＳの配管路において、水道元栓とミストポンプ５４１との間に配置されるバルブである。メインバルブ５６は、ＣＰＵ４０からの指示信号に基づいて開閉動作を行う。
【００７９】
第１ミストバルブ５７は、浴室空調装置ＭＳの配管路において、ミストポンプ５４１とミストノズル（図３においては明示しない）との間に配置されるバルブである。第１ミストバルブ５７は、ＣＰＵ４０からの指示信号に基づいて開閉動作を行う。
【００８０】
第２ミストバルブ５８は、浴室空調装置ＭＳの配管路において、ミストポンプ５４１とミストノズル（図３においては明示しない）との間に配置されるバルブである。第２ミストバルブ５８は、ＣＰＵ４０からの指示信号に基づいて開閉動作を行う。
【００８１】
排水バルブ５９は、浴室空調装置ＭＳの配管路において、第１ミストバルブ５７とミストノズル（図３においては明示しない）との間から分岐される管路及び第２ミストバルブ５８とミストノズル（図３においては明示しない）との間から分岐される管路に設けられているバルブである。排水バルブ５９は、ＣＰＵ４０からの指示信号に基づいて開閉動作を行う。
【００８２】
暖房ヒータ６０，６１，６２は、浴室空調機本体１０内の空調路において、吹き出し口近傍に配置されているヒータである。スイッチ６０１，６１１，６２１は、暖房ヒータ６０，６１，６２への通電を制御するスイッチである。スイッチ６０１，６１１，６２１は、ＣＰＵ４０からの指示信号に基づいて通電制御を行う。
【００８３】
ミストヒータ６３ａ，６３ｂは、浴室空調装置ＭＳの配管路において、第１ミストバルブ５７及び第２ミストバルブの上流側に配置されるヒータである。スイッチ６３１は、ミストヒータ６３への通電を制御するスイッチである。スイッチ６３１は、ＣＰＵ４０からの指示信号に基づいて通電制御を行う。
【００８４】
超音波振動子６４は、浴室空調装置ＭＳの変形例である配管路において、ミストノズルに代えてミストを生成するために用いられるものである。超音波振動子６４は、ＣＰＵ４０からの指示信号に基づいて水又は湯に超音波振動エネルギーを与え、その振動加速度で液体の表面張力を減少させて液表面の分裂を行なうことによって、水又は湯を霧化する。
【００８５】
引き続いて、浴室空調装置ＭＳの配管状態を図６を参照しながら説明する。図６は、浴室空調装置ＭＳの配管図である。図６に示すように、水道に接続された上流側から順に、メインバルブ５６、ミストポンプ５４１が接続されている。ミストポンプ５４１の先は第１管路側と第２管路側とに管路が分岐している。
【００８６】
第１管路側には上流側から順に、ミストヒータ６３ａ、第１ミストバルブ５７、ミストノズル７３，７４が接続されている。第２管路側には上流側から順に、ミストヒータ６３ｂ、第２ミストバルブ５８、ミストノズル７２が接続されている。
【００８７】
第１管路の途中と、第２管路の途中から分岐して排水管路が設けられている。排水管路には、排水バルブ５９が設けられている。排水バルブ５９の先の排水管路はドレーン７１に繋がっている。
【００８８】
図６に示す構成の場合、ミストヒータ６３ａのみに通電しながら、第１ミストバルブ５７及び第２ミストバルブ５８を開くと、ミストノズル７２からは冷ミストが、ミストノズル７３，７４からは温ミストが噴出する。一方、ミストヒータ６３ｂのみに通電しながら、第１ミストバルブ５７及び第２ミストバルブ５８を開くと、ミストノズル７２からは温ミストが、ミストノズル７３，７４からは冷ミストが噴出する。ミストノズル７２，７３，７４から噴出するミストの温度は、ミストヒータ６３ａ，６３ｂそれぞれへの通電状態を制御することで調整することができる。
【００８９】
引き続いて、浴室空調装置ＭＳを構成する浴室空調機本体１０について図７，８，９を参照しながら説明する。図７は、浴室空調機本体１０の内部構成を模式的に示した図である。図８は、図７の暖房ヒータ６０，６１，６２近傍を示す図であって、図７の矢印Ａ側から見た図である。図９は、図７の暖房ヒータ６０，６１，６２近傍を示す図であって、図７の矢印Ｂ側から見た図である。
【００９０】
浴室空調機本体１０は、風路部分１０１と、カバー部分１０２とを備えている。風路部分１０１は、第１風路部分１０１ａ、第２風路部分１０１ｂ、第３風路部分１０１ｃが繋がっている。第１風路部分１０１ａ、第２風路部分１０１ｂ、及び第３風路部分１０１ｃは、互いに９０度の角度を成すように繋がっている。従って、第１風路部分１０１ａから吸い込まれる空気の方向と、第３風路部分１０１ｃから吹き出す空気の方向は互いに１８０度の角度を成している。風路部分１０１は、第１風路部分１０１ａと並行に設けられている第４風路部分１０１ｄを有している。
【００９１】
第１風路部分１０１ａと第２風路部分１０１ｂとが繋がる部分の近傍には、循環ファン５３１が設けられている。循環ファン５３１は、浴室空調装置ＭＳのＣＰＵ４０からの指示信号に基づいて回転する循環ファン駆動モータ５３によって駆動される（図３参照）。
【００９２】
第４風路部分１０１ｄには、換気ファン５５１が設けられている。換気ファン５５１は、浴室空調装置ＭＳのＣＰＵ４０からの指示信号に基づいて回転する換気ファン駆動モータ５３によって駆動される（図３参照）。
【００９３】
第３風路部分１０１ｃの終端部分には、暖房ヒータ６０，６１，６２が取り付けられている。暖房ヒータ６０，６１，６２は、浴室空調装置ＭＳのＣＰＵ４０からの指示信号に基づいて開閉するスイッチ６０１，６１１，６２１によって通電状態が制御される。
【００９４】
カバー部分１０２は、風路部分１０１を覆うように取り付けられている。カバー部分１０２は風路部分１０１を覆うと共に、浴室ユニットＢＲの天井部材２４における平坦な天井部分２４１（図１参照）との間に所定の隙間を確保した状態で取り付けられている。従って、風路部分１０１に取り付けられている循環ファン５３１及び換気ファン５５１が回転すると、カバー部分１０２と天井部分２４１との隙間から空気が吸い込まれる。
【００９５】
カバー部分１０２の、第３風路部分１０１ｃに対応する部分には、開口部１０２ａが形成されている。この開口部１０２ａには、第１可動ルーバー５０１が二つと、第２可動ルーバー５１１が一つ設けられている。一対の第１可動ルーバー５０１は、暖房ヒータ６１，６２の直下に取り付けられている。第２可動ルーバー５１１は、暖房ヒータ６０の直下に取り付けられている。
【００９６】
一対の第１可動ルーバー５０１の近傍には、ミストノズル７３，７４が設けられている。第２可動ルーバー５１１の近傍には、ミストノズル７２が設けられている。ミストノズル７２とミストノズル７３，７４とは、開口部１０２ａを挟んで反対側に取り付けられている。従って、ミストノズル７２のミスト噴出方向と、ミストノズル７３，７４のミスト噴出方向とは互いに逆方向になるように構成されている。
【００９７】
図７，８，９に示す浴室空調機本体１０において、露天風呂モードを行う場合には、ミストノズル７２から涼水ミストを噴出する。この涼水ミストの噴出に合わせて、暖房ヒータ６０への通電を停止した上で、循環ファン５３１を動かして気流を生成して涼風を送出したり、及び、または、換気ファン５５１を回転させて浴室ユニットＢＲ内の換気を行うことによって生じる気流で入浴者に対して涼風を提供するように構成されている。
【００９８】
引き続いて、浴室空調機本体１０の変形例を図１０に示す。図１０は、変形例としての浴室空調機本体１０ａの内部構成を模式的に示した図である。図１０に示す浴室空調機本体１０ａは、風路部分１０３と、カバー部分１０４とを備えている。風路部分１０３は、第１風路部分１０３ａ、第２風路部分１０３ｂ、第３風路部分１０３ｃ、第４風路部分１０３ｄ、第５風路部分１０３ｅ、及び第６風路部分１０３ｆによって構成されている。
【００９９】
第１風路部分１０３ａ、第２風路部分１０３ｂ、及び第３風路部分１０３ｃは、互いに９０度の角度を成すように繋がっている。従って、第１風路部分１０３ａから吸い込まれる空気の方向と、第３風路部分１０３ｃから吹き出す空気の方向は互いに１８０度の角度を成している。
【０１００】
第４風路部分１０３ｄ及び第５風路部分１０３ｅは、第１風路部分１０３ａ、第２風路部分１０３ｂ、及び第３風路部分１０３ｃとは独立して設けられている。第４風路部分１０３ｄ及び第５風路部分１０３ｅは、互いに９０度の角度を成すように繋がっている。
【０１０１】
第１風路部分１０３ａと第５風路部分１０３ｅとの間には、第６風路部分１０３ｆが第１風路部分１０３ａ及び第５風路部分１０３ｅに沿うように設けられている。
【０１０２】
第５風路部分１０３ｅの端部、第６風路部分１０３ｆの端部、及び第１風路部分１０３ａの空気を取り入れる入口は互いに隣接するように配置されている。
【０１０３】
第１風路部分１０３ａと第２風路部分１０３ｂとが繋がる部分の近傍には、循環ファン５３１が設けられている。循環ファン５３１は、浴室空調装置ＭＳのＣＰＵ４０からの指示信号に基づいて回転する循環ファン駆動モータ５３によって駆動される（図３参照）。
【０１０４】
第６風路部分１０３ｆには、換気ファン５５１が設けられている。換気ファン５５１は、浴室空調装置ＭＳのＣＰＵ４０からの指示信号に基づいて回転する換気ファン駆動モータ５５によって駆動される（図３参照）。
【０１０５】
第３風路部分１０３ｃの終端部分には、暖房ヒータ６０，６１，６２が取り付けられている。暖房ヒータ６０，６１，６２は、浴室空調装置ＭＳのＣＰＵ４０からの指示信号に基づいて開閉するスイッチ６０１，６１１，６２１によって通電状態が制御される。
【０１０６】
第４風路部分１０３ｄ内には涼風ファン５３１ａが設けられている。涼風ファン５３１ａは循環ファン５３１と同様に、浴室空調装置ＭＳのＣＰＵ４０からの指示信号に基づいて回転する循環ファン駆動モータ（図示しない）によって駆動される。更に、第４風路部分１０３ｄ内には、循環・換気切替ダンパー５５１ａが設けられている。循環・換気切替ダンパー５５１ａは、浴室空調装置ＭＳのＣＰＵ４０からの指示信号に基づいて回転するダンパー駆動モータ（図示しない）によって駆動される。
【０１０７】
カバー部分１０４は、風路部分１０３を覆うように取り付けられている。カバー部分１０４の、第１風路部分１０３ａ及び第６風路部分１０３ｆに対応する部分には、開口部１０４ａが形成されている。循環ファン５３１及び換気ファン５５１が回転すると、開口部１０４ａから空気が吸い込まれる。
【０１０８】
カバー部分１０４の、第３風路部分１０３ｃに対応する部分には、開口部１０４ｂが形成されている。この開口部１０４ｂには、３つの第１可動ルーバー５０１が設けられている。３つの第１可動ルーバー５０１は、暖房ヒータ６０，６１，６２の直下に取り付けられている。
【０１０９】
カバー部分１０４の、第５風路部分１０３ｅに対応する部分には、開口部１０４ｃが形成されている。この開口部１０４ｃには、第２可動ルーバー５１１が設けられている。
【０１１０】
３つの第１可動ルーバー５０１の内の２つの第１可動ルーバー５０１の近傍には、ミストノズル７３，７４が設けられている。第２可動ルーバー５１１の近傍には、ミストノズル７２が設けられている。ミストノズル７２とミストノズル７３，７４とは、開口部１０４ａ，１０４ｂ，１０４ｃを挟んで反対側に取り付けられている。従って、ミストノズル７２のミスト噴出方向と、ミストノズル７３，７４のミスト噴出方向とは互いに逆方向になるように構成されている。
【０１１１】
引き続いて、超音波振動子６４を用いた場合の、浴室空調装置ＭＳの配管状態を図１１を参照しながら説明する。超音波振動子６４を用いるのは、露天風呂モードにおいて発生させる５ミクロン程度という微細なミストを低騒音で発生させることで、好適に露天風呂のような感覚を作り出すためである。
【０１１２】
図１１に示すように、水道に接続された上流側から順に、メインバルブ８０、第１貯水部８１、ミストヒータ６３ａ、第２貯水部８３、排水バルブ５９が接続されている。第１貯水部８１にはフロートスイッチ８２が設けられている。第１貯水部８１における水位が所定値を下回ると、フロートスイッチ８２が閉じられてメインバルブ８０が開かれる。メインバルブ８０が開かれたことに応じて、第１貯水部８１に水が供給され、所定水位を上回るとフロートスイッチ８２が開かれてメインバルブ８０が閉じられる。
【０１１３】
第１貯水部８１に貯水された水は、ミストヒータ６３ａによって加温されて第２貯水部８３に供給される。第２貯水部８３の底面には超音波振動子６４が設けられている。超音波振動子６４は、ＣＰＵ４０から出力される指示信号に応じて振動し、第２貯水部８３に貯められている水に微細な震動を与えてミストを発生させる。
【０１１４】
引き続いて、図１１に示す配管を用いた浴室空調機本体１０への組み込み例を図１２に示す。図１２は、浴室空調機本体１０ｂの内部構成を模式的に示した図である。図１２に示す浴室空調機本体１０ｂは、風路部分１０５と、カバー部分１０６とを備えている。風路部分１０５は、第１風路部分１０５ａ、第２風路部分１０５ｂ、第３風路部分１０５ｃ、第４風路部分１０５ｄ、及び第５風路部分１０５ｅによって構成されている。
【０１１５】
第１風路部分１０５ａ、第２風路部分１０５ｂ、及び第３風路部分１０５ｃは、互いに９０度の角度を成すように繋がっている。従って、第１風路部分１０５ａから吸い込まれる空気の方向と、第３風路部分１０５ｃから吹き出す空気の方向は互いに１８０度の角度を成している。
【０１１６】
第１風路部分１０５ａと第２風路部分１０５ｂとが繋がる部分の近傍には、循環ファン５３１が設けられている。循環ファン５３１は、浴室空調装置ＭＳのＣＰＵ４０からの指示信号に基づいて回転する循環ファン駆動モータ５３によって駆動される（図３参照）。
【０１１７】
第２風路部分１０５ｂと第３風路部分１０５ｃとが繋がる部分には、第４風路部分１０５ｄが接続されている。第４風路部分１０５ｄには、循環・換気切替ダンパー５５１ａが設けられている。循環・換気切替ダンパー５５１ａは、浴室空調装置ＭＳのＣＰＵ４０からの指示信号に基づいて回転するダンパー駆動モータ（図示しない）によって駆動される。
【０１１８】
第３風路部分１０５ｃには、暖房ヒータ６０，６１，６２が取り付けられている。暖房ヒータ６０，６１，６２は、浴室空調装置ＭＳのＣＰＵ４０からの指示信号に基づいて開閉するスイッチ６０１，６１１，６２１によって通電状態が制御される。
【０１１９】
第３風路部分１０５ｃの暖房ヒータ６０，６１，６２よりも下流には、第５風路部分１０５ｅが接続されている。第５風路部分１０５ｅには、第２貯水部８３（図１１参照）が繋がれている。循環ファン５３１を回転させて第３風路部分１０５ｃに気流を発生させると、第２貯水部８３において発生した微細なミストが第５風路部分１０５ｅを介して第３風路部分１０５ｃに引き込まれ、後述するカバー部分１０６の開口部１０６ａからミストが噴出される。
【０１２０】
カバー部分１０６は、風路部分１０５を覆うように取り付けられている。カバー部分１０６は風路部分１０５を覆うと共に、浴室ユニットＢＲの天井部材２４における平坦な天井部分２４１（図１参照）との間に所定の隙間を確保した状態で取り付けられている。従って、風路部分１０５に取り付けられている循環ファン５３１が回転すると、カバー部分１０６と天井部分２４１との隙間から空気が吸い込まれる。
【０１２１】
カバー部分１０６の、第３風路部分１０５ｃに対応する部分には、開口部１０５ａが形成されている。この開口部１０５ａには、第１可動ルーバー５０１が二つと、第２可動ルーバー５１１が一つ設けられている。一対の第１可動ルーバー５０１は、暖房ヒータ６１，６２の直下に取り付けられている。第２可動ルーバー５１１は、暖房ヒータ６０の直下に取り付けられている。
【０１２２】
引き続いて、浴室空調機本体１０を浴室ユニットＢＲに設置し、露天風呂モードで制御した場合について図１３及び図１４を参照しながら説明する。図１３に示す例は、微細な涼水ミストをミストノズル７２から入浴者Ｈに向けて噴出するとともに、循環ファン５３１を停止する一方で、換気ファン５５１を回転させてガラリ２３１ａから空気を吸い込んでいる形態である。このように、入浴者Ｈに付着した涼水ミストを換気に伴う気流によって気化を促進するようにしたものである。これによって、心地良い涼感を入浴者Ｈに提供しているものであって、図２と対応するものである。このように、涼水ミストの噴出とともに換気によって浴室内の空気を排気しているため、ミストが蓄積されることが抑制され、湿度の上昇を緩和して継続的に気化熱で熱を奪うことができるようにしているものである。なお、全実施例に共通することであるが、微細な涼水ミストとしては、５ミクロン程度の物が目に見えず、一方で気化熱によって熱も奪ってくれるという程度で良好であり、２０ミクロンまでが妥協できる最大範囲であると考えている。５ミクロン程度の最良のミストを生成するためには、超音波式が騒音などの様々な要素を含めて最適である。
【０１２３】
図１４に示す例は、変形例を示すものであって、換気ファン５５１に加えて循環ファン５３１を回転させている。これは、換気ファン５５１を回転させることで、図１３と同様に、換気に伴う気流で気化熱に相当する熱を入浴者Ｈから奪うようにしているものであるが、これに加えて循環ファン５３１が回転させている。
【０１２４】
循環ファン５３１を回転させることによって作り出される気流は、入浴者Ｈから気化熱を奪うことを目的の一つにしているものではあるが、主の目的は、浴槽ＢＴに張られているお湯によって周辺の空気が暖められ、これによって浴槽ＢＴの上部空間には上昇気流が発生している。この上昇気流によって、露天風呂の雰囲気を保つために作られる微細な涼水ミストが上昇気流によって落下を抑えられ、入浴者Ｈまで到達しないもしくは、到達するまでに多くの時間を要して、その間に涼水ミストが高温になったり気化してしまうことを防止するために、涼水ミストを確実にかつ迅速に入浴者Ｈまで搬送するように気流を作っているものである。よって、送風する量は大きくする必要がなく、大きくすると、騒音だけでなく、そよ風というより、強い風という感じになって心地良い露天風呂感覚という雰囲気を壊すとともに、気化熱が促進され過ぎるという傾向になるためである。
【０１２５】
循環ファン５３１を回転させるのに合わせて、第１可動ルーバー５０１及び第２可動ルーバー５１１を可動させて、入浴者Ｈに当たる風を断続的にしている。これによって、入浴者Ｈから気化熱で奪う熱を断続にして、涼感刺激に慣れないように工夫しているものである。屋外の露天風呂で時より吹くそよ風を再現するようなイメージである。
【０１２６】
引き続いて、浴室空調装置ＭＳを用いた涼感モード制御について説明する。図１５及び図１６は、涼感モード制御を説明するためのタイミングチャートである。
【０１２７】
図１５に示す第１例では、露天風呂モード（涼感運転モード）の制御が開始されると、循環ファン５３１を極めて低速で回転させることでそよ風をイメージする気流を生成すると共に、第１可動ルーバー５０１及び第２可動ルーバー５１１をスイング可動させることで入浴者に対して供給される気流が断続的なものになるように制御している。なお、ここでは、気流を極低速にしているが、露天風呂モードの開始当初だけは強い気化熱が発生するように循環ファン５３１の回転を高めても良い。また、ミストノズル７２から微細な涼水ミストを噴出させる。このように制御すると、入浴者Ｈには涼風に乗った涼水ミストが当たり、入浴者Ｈは爽やかな涼感を体感することができる。
【０１２８】
涼感モード制御開始後所定の時間（３分程度）が経過すると、涼感を強く得たいという要求も収まり、一方で浴室内の湿度が上昇するため循環ファン５３１の回転を停止している。それに合わせて第１可動ルーバー５０１及び第２可動ルーバー５１１のスイングも停止する。なお、ここでは、ルーバーは最初からずっとスイングさせることをイメージしているが、最初の１分は入浴者に集中させ、後半の２分はスイングさせるような対応も望ましいと言える。涼感モード制御開始後所定の時間が経過した時点では浴室ユニットＢＲ内の湿度も上昇しているので、その後の涼水ミストの噴出の際には換気ファン５５１の回転を同調させて、気流の生成を循環ファン５３１から換気ファン５５１に切り替えている。これは、強い涼感刺激を欲する時間帯を過ぎていると思えること、及び浴室ユニットＢＲ内の湿度の上昇を抑えることが目的である。従って、換気ファン５５１は気流生成手段及び湿度上昇抑制手段として機能している。涼水ミストの噴出及び換気ファン５５１の回転は間欠的（１分噴射、１分停止のサイクル）に継続し、浴室ユニット内の湿度の上昇を抑え、かつ気化熱による涼感刺激に慣れないように的確に入浴者Ｈに与えるようにしている。また、換気ファン５５１を回転させると、湿度が低下するため、湿度の上昇に伴う浴室ユニットＢＲ内が煙が充満したような白濁状態となることも抑制でき、爽快感を保つことができる。なお、本実施例では、換気ファン５５１による気流生成と、涼水ミストの噴出を同期させているが、涼水ミストを噴出してそれが入浴者に体に触れて、それを気流で気化させるのが目的であるため、完全同期させる必要がなく、換気ファンの回転の方が若干遅くなるようにずらしたり、始まりは同じでも、換気ファンの終了を少し遅くするなどの対応を行っても良いことは言うまでもない。
【０１２９】
図１５に示す第１例は、露天風呂モードの開始に近い第１時間領域では、涼水ミストの噴出頻度を増やし、循環ファン５１１を回転させて涼風を送り出すことで、入浴者Ｈに強めの爽やかな涼感を与えている。その後の第２時間領域においては、循環ファン５１１の回転を停止して、循環ファン５１１による入浴者Ｈへの涼風の供給を停止している。また、第２時間領域においては、涼水ミストの噴出を間欠的に行っている。露天風呂モードの開始に近い第１時間領域では涼水ミストを継続して噴出しており、その後の第２時間領域では涼水ミストを間欠的に噴出しているので、単位時間当たりの涼水ミスト噴出量は減少している。しかしながら、第２時間領域では、涼水ミストの噴出タイミングに合わせて換気ファン５５１を回転させて気流を発生させているので、入浴者Ｈに快適な涼感を体感させることができる。
【０１３０】
上述した第１例では、第２時間領域において、涼水ミストを間欠噴出し、換気ファン５１１を間欠回転させているが、浴室ユニットＢＲ内の湿度上昇を抑制して入浴者Ｈに快適な涼感を体感させる方法はこれに限られない。例えば、換気ファン５１１の回転数を増減させて、風量のゆらぎを発生させることも一つの例である。更に、第１時間領域において、循環ファン５１１を間欠回転させてもよい。循環ファン５１１の回転を一定に保ち、第１可動ルーバー５０１及び第２可動ルーバー５１１を揺動させて、一定の場所にいる入浴者Ｈに気流の変動を感じさせるように制御してもよい。
【０１３１】
図１６に示す第２例では、露天風呂モード（涼感運転モード）の制御が開始されると、循環ファン５３１の回転に加えて最初から換気ファン５５１を回転させる点が先の実施例と相違する部分である。後の点は同じである。このように制御すると、気流の生成を循環ファン５３１と換気ファン５５１の双方で作り出せるため、強めの涼感刺激を作り出せるか、もしくは、一つのファン回転を低下させて騒音を低下させることができるなどの効果を得ることができる。さらに、換気ファン５５１の回転により涼水ミストの噴出に伴う湿度の上昇を最初から抑制することができ、入浴者Ｈはより爽やかな涼感を体感することができる。
【０１３２】
涼感モード制御開始後所定の時間が経過すると、循環ファン５３１の回転を停止し、それに合わせて第１可動ルーバー５０１及び第２可動ルーバー５１１も停止する。その後の涼水ミストの噴出の際には換気ファン５５１の回転を同調させて、浴室ユニットＢＲ内の湿度の上昇を抑えている。従って、換気ファン５５１は湿度上昇抑制手段として機能している。涼水ミストの噴出及び換気ファン５５１の回転は間欠的に継続し、浴室ユニット内の湿度の上昇を抑えて、気化熱による涼感を的確に入浴者Ｈに与えるようにしている。
【０１３３】
尚、上述した制御パターンの他に次のような制御パターンを行うことも好ましい。好ましい一つの態様は、浴室ユニットＢＲ内に設置された浴室湿度センサー４８による測定値に基づいて、浴室内湿度を所定の値（例えば、６０％程度）近傍となるように制御する態様である。別の好ましい態様は、外気湿度が高い場合に、換気ファン５５１による換気量が多くなるように制御する態様である。入浴者Ｈから気化熱によって奪う熱を増やして、より強い涼感を与えるためである。
【０１３４】
更に別の好ましい態様は、外気温度が低い場合に、涼水ミストの噴出量を低減させたり、循環ファン５５１の回転を抑えたりして気流の発生を抑制するように制御する態様である。外気温度が低い場合には、入浴者Ｈから奪う熱を低減させても、入浴者Ｈは涼感を体感し得るためである。
【０１３５】
更に別の好ましい態様は、外気の状態に関わらず、浴室ユニットＢＲ内の温度及び湿度が常に一定になるように制御する態様である。このように制御を行うと、季節変動に関係なく好適な涼感を入浴者Ｈに与えることができる。
【０１３６】
上述した本実施形態では、浴槽ＢＴが配置された浴槽領域に涼水ミストを噴出するミスト噴出手段としてのミストノズル７２と、浴槽領域における気流を調整する気流調整手段としての循環ファン５３１、第１可動ルーバー５０１及び第２可動ルーバー５１１と、ミスト噴出手段及び気流調整手段をそれぞれ制御する制御手段としてのＣＰＵ４０及び記憶部４１と、を備え、制御手段は、入浴者Ｈに対して涼感を体感させ得る露天風呂モード（露天風呂モード）を備えており、露天風呂モードにおいては、浴槽領域に涼水ミストの噴出を行いつつ気流を発生させるようにミスト噴出手段及び気流調整手段を制御している。
【０１３７】
本実施形態では、浴槽領域に涼水ミストの噴出を行いつつ気流を発生させるので、浴槽領域で入浴中の入浴者Ｈに涼水ミストが触れるのと合わせて風を当てることができ、入浴者Ｈの体表面から水分が蒸発することを促進できる。従って、入浴者Ｈは水の気化熱に相当する熱が奪われ、涼感を感じることができる。気化熱を利用しているので、入浴者Ｈに触れされる涼水ミストを少なくすることができ、入浴者Ｈに当てる風も水の気化を促進し得る程度のものとすることができる。従って、入浴者Ｈは爽やかな涼感を感じることができ、入浴環境への影響も極力低減することができる。
【０１３８】
また本実施形態においては、ＣＰＵ４０及び記憶部４１は、露天風呂モードにおいて、浴槽領域における相対湿度が１００％を超えないようにミスト噴出手段による涼水ミストの噴出を制御することも好ましい（図１５及び図１６に係る説明参照）。この好ましい態様によれば、ミスト噴出手段から涼水ミストを噴出させつつ、浴槽領域における絶対湿度が１００％を超えないように制御するので、入浴者Ｈの体表面からの水分の蒸発を継続させることができる。
【０１３９】
また本実施形態においては、ＣＰＵ４０及び記憶部４１は、露天風呂モードにおいて、ミスト噴出手段による涼水ミストの噴出に合わせて気流調整手段による浴槽領域に向けた送風を行わせるように、ミスト噴出手段及び気流調整手段を制御している。この制御によれば、涼水ミストの噴出に合わせて浴槽領域に向けて送風を行わせるので、浴槽ＢＴに湯が張られて上昇気流が発生している場合であっても、涼水ミストの粒径を大きくせずに涼水ミストを浴槽ＢＴに入浴中の入浴者Ｈへ到達させることができる。
【０１４０】
また本実施形態においては、気流調整手段は、浴室空間内に空気を送り出す循環ファン５３１（送風部）と、循環ファン５３１から送り出される空気の方向を調整する第１可動ルーバー５０１及び第２可動ルーバー５１１とを備え、ＣＰＵ４０及び記憶部４１は、露天風呂モードにおいて、第１可動ルーバー５０１及び第２可動ルーバー５１１を浴槽領域に指向させるように制御している。この制御によれば、第１可動ルーバー５０１及び第２可動ルーバー５１１によって循環ファン５３１から送り出される空気の方向を浴槽領域に指向させるので、浴槽領域に的確に風向きを合わせることができると共に、その風によって浴槽領域に的確に涼水ミストを送り込むことができる。
【０１４１】
また本実施形態においては、ＣＰＵ４０及び記憶部４１は、露天風呂モードにおいて、涼水ミストの噴出が間欠噴出となるようにミスト噴出手段を制御している（図１５及び図１６に係る説明参照）。この制御によれば、涼水ミストを間欠的に噴出するので、浴室空間内の湿度の上昇を抑えることができる。また、涼水ミストが間欠的に噴出されるため、入浴者Ｈに当たる涼水ミストも断続的なものとなり、入浴者Ｈが気化熱に相当する熱が奪われるのも断続的なものとなる。従って、入浴者Ｈの体温を必要以上に下げることがなく、入浴者Ｈに適度な涼感を与え続けることができる。
【０１４２】
また本実施形態においては、ＣＰＵ４０及び記憶部４１は、間欠噴出における涼水ミストの噴出頻度が露天風呂モードの開始から時間の経過に応じて少なくなるように、ミスト噴出手段を制御することも好ましい（図１５及び図１６に係る説明参照）。この好ましい態様によれば、露天風呂モードの開始時には涼水ミストの噴出頻度を多く、その後時間の経過に応じて涼水ミストの噴出頻度を少なくできるので、入浴者Ｈがより涼感を求める場面で涼水ミストの噴出頻度を多く、その後涼感を求める度合いが低減した場面では涼水ミストの噴出頻度を少なくといった入浴者Ｈの要望に即した制御が可能となる。
【０１４３】
また本実施形態においては、ミスト噴出手段は、超音波振動によって涼水ミストを生成することも好ましい（図１１及び図１２に係る説明参照）。この好ましい態様によれば、涼水ミストを超音波振動によって生成するので、涼水ミストの粒径をより小さくすることができ、涼水ミストの気化を促進できる。
【０１４４】
また本実施形態においては、浴室空調装置ＭＳに対する操作指示を受け付けて、制御手段に対して操作指示信号を出力する浴室操作リモコン４３（操作受付手段）を備え、浴室操作リモコン４３は、露天風呂モードの開始指示を受け付ける露天風呂モードボタン４３ｃｆ（開始指示受付部）を有し、露天風呂モードボタン４３ｃｆが操作されたことに応じて、ＣＰＵ４０及び記憶部４１は、に対して露天風呂モードの開始を指示する操作指示信号が出力され、ＣＰＵ４０及び記憶部４１は、が露天風呂モードによる制御を開始する。この制御によれば、露天風呂モードボタン４３ｃｆが操作されたことに応じて、ＣＰＵ４０及び記憶部４１が露天風呂モードによる制御を開始するので、入浴者Ｈの意図に合わせて涼感を体感させることができる。
【０１４５】
また本実施形態においては、露天風呂モードボタン４３ｃｆは、所定条件を満たす場合に、露天風呂モードの開始指示を受け付けないことも好ましい。この好ましい態様によれば、例えば浴室温度が低い場合や入浴直後のように、露天風呂モードによる制御を行うことが好ましくない場合に露天風呂モードの開始を制限し、入浴者Ｈに不快感を与えないようにすることができる。
【０１４６】
また本実施形態においては、ミスト噴出手段による涼水ミストの噴出に応じて、浴室空間内の湿度上昇を抑制する湿度上昇抑制手段としての換気ファン５５１を備えている。ミスト噴出手段から涼水ミストを噴出するのに応じて、浴槽領域における湿度上昇を抑制するように制御するので、入浴者Ｈの体表面からの水分の蒸発を継続させることができる。
【０１４７】
また本実施形態においては、ＣＰＵ４０及び記憶部４１は、露天風呂モードにおいて、浴室空間における気流を変動させるように気流調整手段を制御することも好ましい。この好ましい態様によれば、浴室空間における気流を変動させるので、入浴者Ｈに当たる気流が変動し、入浴者Ｈが気化熱に相当する熱が奪われる量も変動する。従って、例えば入浴者Ｈの体温を必要以上に下げることがないような制御も可能となり、入浴者Ｈに適度な涼感を与え続けることができる。
【０１４８】
また本実施形態においては、ＣＰＵ４０及び記憶部４１は、浴室空間における気流の発生が間欠発生となるように気流調整手段を制御している。この制御によれば、気流を間欠的に発生させるので、入浴者Ｈに当たる気流も断続的なものとなり、入浴者Ｈが気化熱に相当する熱が奪われるのも断続的なものとなる。従って、入浴者Ｈの体温を必要以上に下げることがなく、入浴者Ｈに適度な涼感を与え続けることができる。
【０１４９】
また本実施形態においては、ＣＰＵ４０及び記憶部４１は、露天風呂モードにおいて、浴室空間に噴出される涼水ミストの量を変動させるようにミスト噴出手段を制御することも好ましい（図１５及び図１６に係る説明参照）。この好ましい態様によれば、浴室空間に噴出される涼水ミスト量を変動させるので、入浴者Ｈに当たる涼水ミスト量が変動し、入浴者Ｈが気化熱に相当する熱が奪われる量も変動する。従って、例えば入浴者Ｈの体温を必要以上に下げることがないような制御も可能となり、入浴者Ｈに適度な涼感を与え続けることができる。
【０１５０】
また本実施形態においては、ＣＰＵ４０及び記憶部４１は、露天風呂モードの開始から時間の経過に応じて、入浴者Ｈから奪う熱量が少なくなるようにミスト噴出手段及び気流調整手段を制御することも好ましい（図１５及び図１６に係る説明参照）。この好ましい態様によれば、露天風呂モードの開始後時間の経過に応じて、入浴者Ｈから奪う熱量が少なくなるようにできるので、入浴者Ｈがより涼感を求める場面で涼感を強く、その後涼感を求める度合いが低減した場面では涼感を弱くといった入浴者Ｈの要望に即した制御が可能となる。
【図面の簡単な説明】
【０１５１】
【図１】本実施形態である浴室空調装置を構成する浴室空調機本体を浴室ユニットに取り付けた一例を説明するための図である。
【図２】本実施形態である浴室空調装置によって実現可能な露天風呂モードを説明するための図である。
【図３】本実施形態である浴室空調装置のブロック構成図である。
【図４】本実施形態である浴室空調装置の浴室内リモコンの操作パネルを示す図である。
【図５】図１８に示す浴室内リモコンの詳細設定パネルの一例を示す図である。
【図６】本実施形態である浴室空調装置の配管図である。
【図７】本実施形態である浴室空調装置の浴室空調機本体構造図である。
【図８】本実施形態である浴室空調装置の浴室空調機本体構造図である。
【図９】本実施形態である浴室空調装置の浴室空調機本体構造図である。
【図１０】図７〜９に示す浴室空調装置の変形例である浴室空調機本体構造図である。
【図１１】図６に示す配管図の変形例である。
【図１２】図１１に対応する浴室空調機本体構造図である。
【図１３】図７に示す浴室空調機本体を用いた場合の空気循環を示す図である。
【図１４】図７に示す浴室空調機本体を用いた場合の空気循環を示す図である。
【図１５】本実施形態である浴室空調装置のタイミングチャートである。
【図１６】本実施形態である浴室空調装置のタイミングチャートである。
【符号の説明】
【０１５２】
ＢＲ…浴室ユニット、ＢＴ…浴槽、１０…浴室空調機本体、２０…床部材、２１，２２，２３…壁部材、２４…天井部材、ＭＳ…浴室空調装置、４０…ＣＰＵ４０、４１…記憶部、４２…洗面所リモコン、４３…浴室内リモコン、４４…第１水温センサー、４５…第２水温センサー、４６…第１温度センサー、４７…第２温度センサー、４８…浴室湿度センサー、４９…洗面所湿度センサー、５０…第１可動ルーバー用モータ、５０１…第１可動ルーバー、５１…第２可動ルーバー用モータ、５１１…第２可動ルーバー、５２…給水・給湯装置、５３…循環ファン駆動モータ、５３１…循環ファン、５４…ポンプ駆動モータ５４、５４１…ミストポンプ、５５…換気ファン駆動モータ５５、５５１…換気ファン、５６…メインバルブ、５７…第１ミストバルブ、５８…第２ミストバルブ、５９…排水バルブ。
【図１】
2008264358.tif 000003
【図２】
2008264358.tif 000004
【図３】
2008264358.tif 000005
【図４】
2008264358.tif 000006
【図５】
2008264358.tif 000007
【図６】
2008264358.tif 000008
【図７】
2008264358.tif 000009
【図８】
2008264358.tif 000010
【図９】
2008264358.tif 000011
【図１０】
2008264358.tif 000012
【図１１】
2008264358.tif 000013
【図１２】
2008264358.tif 000014
【図１３】
2008264358.tif 000015
【図１４】
2008264358.tif 000016
【図１５】
2008264358.tif 000017
【図１６】
2008264358.tif 000018